(57)【要約】      （修正有）【課題】ワークが一定の寸法を超えても、快速降下ロッドはワークを測定することが可能で、ワークを切断することが可能なバンドソーを提供する。【解決手段】ソーフレーム３０は、回転可能な帯のこ３１が巻き付けられ、その一面に固定具３２が固定され、固定具には固定ラック３２１が固定され、固定ラックが第１方向に沿って延び、第１方向に垂直する方向を第２方向とされ、第１方向に沿って摺動可能な自在具３４が設けられる。挟みユニット４０は、ソーフレームに隣接するように設けられ、固定挟みアーム４１と、自在挟みアーム４２と、を含み、自在挟みアームは、第１方向に沿って移動可能でり、挟み部４２１と、挟み部に設けられる止めロッド４２２と、から構成される。快速降下ロッド５０は、歯付きシャフト５２が旋回可能に枢着されており、固定具と自在具の間に、第１方向に沿って移動可能に設けられる。【選択図】図２
0003185578.tif 000002
【実用新案登録請求の範囲】
【請求項１】
回転可能な帯のこが巻き付けられており、その一面に固定具が固定されており、前記固定具に固定ラックが固定されており、前記固定ラックが第１方向に沿って延びており、前記第１方向に垂直する方向を第２方向とされ、前記第１方向に沿って摺動可能な自在具が設けられており、前記自在具が前記帯のこに当接しており、前記帯のこが運転しているときに前記自在具が駆動されて変位し、前記自在具には、受け軸受と、自在ラックと、が固定されており、前記自在ラックが前記固定ラックに平行して延びているソーフレームと、
前記ソーフレームに隣接するように設けられており、固定挟みアームと、自在挟みアームと、を含み、前記自在挟みアームは、前記第１方向に沿って移動可能であり、挟み部と、前記挟み部に設けられている止めロッドと、から構成され、前記挟み部と前記固定挟みアームによりワークを挟み可能であり、前記自在挟みアームの前記止めロッドは前記第２方向に沿って延びており、前記自在具は、受け軸受を介して前記止めロッドに当接して前記止めロッドを止め可能である挟みユニットと、
歯付きシャフトが旋回可能に枢着されており、前記固定具と前記自在具の間に前記第１方向に沿って移動可能に設けられており、前記固定ラック及び前記自在ラックと噛合っている前記歯付きシャフトは、前記固定ラックと前記自在ラックの間に位置しており、前記自在具が移動しているときには、前記自在ラックが前記歯付きシャフトを駆動して、前記歯付きシャフトが前記固定ラックの上で移動する快速降下ロッドと、を含むことを特徴とする、
バンドソー。
【請求項２】
前記ソーフレームには、一対のガイドレールが設けられており、前記各ガイドレールは前記第１方向に沿って延びており、前記自在具の二つのスライドブロックは、それぞれ前記各ガイドレールに嵌めて設けられており、前記第１方向に沿って移動可能であることを特徴とする、請求項１に記載のバンドソー。
【請求項３】
前記ソーフレームの他面には、更に、ガイドレールが設けられており、前記快速降下ロッドの一面にスライドブロックが設けられており、前記快速降下ロッドの前記スライドブロックは、前記ソーフレームの前記ガイドレールに前記第１方向に沿って摺動可能に嵌め設けられていることを特徴とする、請求項１に記載のバンドソー。
【請求項４】
前記ソーフレームは、二つの昇降ロッドを有するベースに結合されており、前記ソーフレームは前記昇降ロッドに沿って昇降可能であり、前記固定具の一端が前記帯のこに当接して前記帯のこを定位させられることを特徴とする、請求項１に記載のバンドソー。
【請求項５】
前記固定挟みアームは前記固定具に当接していることを特徴とする、請求項１に記載のバンドソー。
【考案の詳細な説明】
【技術分野】
【０００１】
本考案は、バンドソーに関し、特に、帯のこによりワークを切断することが可能なバンドソーに関するものである。
【背景技術】
【０００２】
図１を参照する。図１は従来のバンドソーを示す模式図である。従来のバンドソーは、図１に示すように、ソーフレーム１０に回転可能な帯のこ１１が巻き付けられている。昇降装置１２により、ソーフレーム１０は昇降可能である。
ワークＡを切断したいときには、ソーフレーム１０とワークＡの間の距離を測定して制御するために、ソーフレーム１０に快速降下ロッド１３が設けられている。従来の快速降下ロッド１３は、ソーフレーム１０に固定されているため、ワークの寸法に制限がある。ワークが一定の寸法を超える場合には、快速降下ロッド１３がワークを測定することができなくなって、当該ワークを切断することができない。
【考案の概要】
【考案が解決しようとする課題】
【０００３】
本考案の主な目的は、ワークが一定の寸法を超えても、快速降下ロッドがワークを測定することが可能であり、当該ワークを切断することが可能であるバンドソーを提供することにある。
【課題を解決するための手段】
【０００４】
本考案のバンドソーは、回転可能な帯のこが巻き付けられており、その一面に固定具が固定されており、固定具に固定ラックが固定されており、固定ラックが第１方向に沿って延びており、第１方向に垂直する方向を第２方向とされ、第１方向に沿って摺動可能な自在具が設けられており、自在具が帯のこに当接しており、帯のこが運転しているときに自在具が駆動されて変位し、自在具には、受け軸受と、自在ラックと、が固定されており、自在ラックが固定ラックに平行して延びているソーフレームと、ソーフレームに隣接するように設けられており、固定挟みアームと、自在挟みアームと、を含み、自在挟みアームは、第１方向に沿って移動可能であり、挟み部と、挟み部に設けられている止めロッドと、から構成され、挟み部と固定挟みアームによりワークを挟み可能であり、自在挟みアームの止めロッドは第２方向に沿って延びており、自在具は、受け軸受を介して止めロッドに当接して止めロッドを止め可能である挟みユニットと、歯付きシャフトが旋回可能に枢着されており、固定具と自在具の間に、第１方向に沿って移動可能に設けられており、固定ラック及び自在ラックと噛合っている歯付きシャフトは、固定ラックと自在ラックの間に位置しており、自在具が移動しているときには、自在ラックが歯付きシャフトを駆動して、歯付きシャフトが固定ラックの上で移動する快速降下ロッドと、
を含むことを特徴とする。
【０００５】
本考案のバンドソーは、ソーフレームには、一対のガイドレールが設けられており、各ガイドレールは第１方向に沿って延びており、自在具の二つのスライドブロックは、それぞれ各ガイドレールに嵌め設けられており、第１方向に沿って移動可能であることを特徴とする。
【０００６】
本考案のバンドソーは、ソーフレームの他面には、更に、ガイドレールが設けられており、快速降下ロッドの一面にスライドブロックが設けられており、快速降下ロッドのスライドブロックは、ソーフレームのガイドレールに第１方向に沿って摺動可能に嵌め設けられていることを特徴とする。
【０００７】
本考案のバンドソーは、ソーフレームは、二つの昇降ロッドを有するベースに結合されており、ソーフレームは昇降ロッドに沿って昇降可能であり、固定具の一端が帯のこに当接して帯のこを定位させ可能であることを特徴とする。
【０００８】
本考案のバンドソーは、固定挟みアームは固定具に当接していることを特徴とする。
【考案の効果】
【０００９】
本考案のバンドソーは、ワークが一定の寸法を超えても、快速降下ロッドはワークを測定することが可能であり、当該ワークを切断することが可能であるという効果を有する。
【図面の簡単な説明】
【００１０】
【図１】従来のバンドソーを示す模式図である。
【図２】本考案の一実施例の全体構成を示す正面図である。
【図３】本考案の一実施例の一部の構造を示す模式図である。
【図４】図２の４−４線の断面図である。
【図５】図３の５−５線の断面図である。
【図６】本考案の一実施例の動作を示す模式図１である。
【図７】本考案の一実施例の動作を示す模式図２である。
【考案を実施するための形態】
【００１１】
以下、本考案の実施の形態を図面に基づいて説明する。
図２から図７を参照する。図２は本考案の一実施例の全体構成を示す正面図であり、図３は本考案の一実施例の一部の構造を示す模式図であり、図４は図２の４−４線の断面図であり、図５は図３の５−５線の断面図であり、図６は本考案の一実施例の動作を示す模式図１であり、図７は本考案の一実施例の動作を示す模式図２である。
本考案の一実施例のバンドソーは、二つの昇降ロッド２１を有するベース２０と、ソーフレーム３０と、挟みユニット４０と、快速降下ロッド５０と、を含む。
【００１２】
ソーフレーム３０は、二つの昇降ロッド２１に結合されており、昇降ロッド２１に沿って昇降することが可能である。ソーフレーム３０に回転可能な帯のこ３１が巻き付けられている。
ソーフレーム３０の一面に固定具３２が固定されている。固定具３２の一端は帯のこ３１に当接して帯のこ３１を定位可能である。固定具３２に固定ラック３２１が固定されている。固定ラック３２１は第１方向Ｄ１に沿って延びている。第１方向Ｄ１に垂直する方向を第２方向Ｄ２とする。
ソーフレーム３０には、更に、一対のガイドレール３３が設けられている。各ガイドレール３３は第１方向Ｄ１に沿って延びている。自在具３４の一端にある二つのスライドブロック３４１は、それぞれ各ガイドレール３３に嵌め設けられており、第１方向Ｄ１に沿って移動可能である。
このように、自在具３４は、ソーフレーム３０のガイドレール３３に第１方向Ｄ１に沿って摺動可能に設けられている。自在具３４の他端は帯のこ３１に当接している。帯のこ３１が運転しているときには、自在具３４が駆動されて変位する。自在具３４には、受け軸受３４２と、自在ラック３４３と、が固定されている。自在ラック３４３は固定ラック３２１に平行して延びている。ソーフレーム３０の他面には、更に、ガイドレール３５が設けられている。
【００１３】
挟みユニット４０は、ソーフレーム３０に隣接するように設けられており、固定挟みアーム４１と、自在挟みアーム４２と、を含む。固定挟みアーム４１は固定具３２に当接している。自在挟みアーム４２は、第１方向Ｄ１に沿って移動可能であり、挟み部４２１と、挟み部４２１に設けられている止めロッド４２２と、から構成される。挟み部４２１と固定挟みアーム４１により、ワークを挟むことが可能である。
自在挟みアーム４２の止めロッド４２２は第２方向Ｄ２に沿って延びている。自在挟みアーム４２が固定挟みアーム４１から最も遠く離れているときには、自在挟みアーム４２の止めロッド４２２が自在具３４の受け軸受３４２に当接しており、すなわち、自在具３４の受け軸受３４２は、止めロッド４２２に当接して、止めロッド４２２のストロークを規制する。
【００１４】
快速降下ロッド５０は、一面にスライドブロック５１が設けられており、他面に歯付きシャフト５２が旋回可能に枢着されている。快速降下ロッド５０のスライドブロック５１は、ソーフレーム３０のガイドレール３５に第１方向Ｄ１に沿って摺動可能に嵌め設けられている。
快速降下ロッド５０は固定具３２と自在具３４の間に設けられている。そして快速降下ロッド５０の歯付きシャフト５２は、固定ラック３２１と自在ラック３４３の間に位置しており、固定ラック３２１及び自在ラック３４３と噛合っている。自在具３４が移動しているときには、自在ラック３４３が歯付きシャフト５２を駆動して、歯付きシャフト５２が固定ラック３２１の上で移動する。このように、快速降下ロッド５０の位置を変更することが可能である。
【００１５】
次に、本考案の一実施例の使用状態を説明する。挟みユニット４０の自在挟みアーム４２が固定挟みアーム４１から最も遠く離れているときには、図２に示すように、固定挟みアーム４１と自在挟みアーム４２の間にワークを入れて挟むことが可能であり、そして快速降下ロッド５０が当該ワークの中央に位置しているため、当該ワークを確実に測定することが可能である。
この状態で、固定具３２と自在具３４の間には第１初期距離Ｌ１を有し、快速降下ロッド５０と固定具３２の間には第２初期距離Ｌ２を有する。
【００１６】
より小さいワークを挟もうとする場合には、図７に示すように、自在挟みアーム４２を固定挟みアーム４１の方向へ移動し、このとき、自在挟みアーム４２が受け軸受３４２から遠く離れる。次に、帯のこ３１を運転させる。
帯のこ３１が運転しているときには、帯のこ３１に接触している自在具３４が帯のこ３１に引かれて自在挟みアーム４２の方向へ移動する。自在具３４のストロークの終点は、受け軸受３４２が自在挟みアーム４２の止めロッド４２２に当接する位置である。
【００１７】
自在具３４が移動しているときには、自在具３４にある自在ラック３４３が固定挟みアーム４１の方向へ同期に移動する。自在ラック３４３が移動しているときには、自在ラック３４３と噛合っている歯付きシャフト５２が自在ラック３４３に駆動されて回転する。このとき、歯付きシャフト５２は、それと噛合っている固定ラック３２１に沿ってリニアに移動する。
歯付きシャフト５２が回転して固定ラック３２１に沿ってリニアに移動しているときには、図８に示すように、快速降下ロッド５０が固定具３２の方向へ移動する。このとき、固定具３２と自在具３４の距離は第１挟み距離ｌ１に縮小し、なお、快速降下ロッド５０と固定具３２の距離は第２挟み距離ｌ２に縮小する。
このように、自在挟みアーム４２がより小さいワークを挟んでいるときには、自在具３４と快速降下ロッド５０とも移動し、これにより、快速降下ロッド５０が当該ワークを測定可能な位置に位置することを確保することが可能である。このため、ワークの寸法が快速降下ロッド５０の所在位置に規制されなくなり、ワークの適用可能の寸法の範囲を拡大することが可能である。
【符号の説明】
【００１８】
１０    ソーフレーム
１１    帯のこ
１２    昇降装置
１３    快速降下ロッド
２０    ベース
２１    昇降ロッド
３０    ソーフレーム
３１    帯のこ
３２    固定具
３３    ガイドレール
３４    自在具
３５    ガイドレール
４０    挟みユニット
４１    固定挟みアーム
４２    自在挟みアーム
５０    快速降下ロッド
５１    スライドブロック
５２    歯付きシャフト
３２１  固定ラック
３４１  固定挟みアーム
３４２  受け軸受
３４３  自在ラック
４２１  挟み部
４２２  止めロッド
Ａ      ワーク
ｌ１    第１挟み距離
ｌ２    第２挟み距離
Ｄ１    第１方向
Ｄ２    第２方向
Ｌ１    第１初期距離
Ｌ２    第２初期距離
【図１】
0003185578.tif 000003
【図２】
0003185578.tif 000004
【図３】
0003185578.tif 000005
【図４】
0003185578.tif 000006
【図５】
0003185578.tif 000007
【図６】
0003185578.tif 000008
【図７】
0003185578.tif 000009